(57)【要約】【課題】プリンタの各配設部材に悪影響を及ぼさずに記録媒体を回収することができるプリンタを提供すること。【解決手段】本発明のプリンタ１は、記録媒体１０を供給回収する供給ローラ２と、プラテン３と、記録ユニット４と、切断位置から後退した記録媒体１０の先端位置を供給ローラ２の回転数に基づき算出する算出手段と、圧接ユニット８とを備え、圧接ユニット８はプラテン３の外周面に対向する圧接ローラ５と、圧接ローラ５をプラテン３に付勢させる付勢手段と、供給ローラ２の逆回転により後退している記録媒体１０の先端がプラテン３と圧接ローラ５との間に到達したのを算出手段により算出したとき圧接ローラ５をプラテン３の逆回転ＲＤと共にプラテン３に沿って移動させる移動手段とを有する。プリンタ１により、圧接ローラ５が記録媒体１０の先端を圧接させながらプラテン３と共に後退させるので、記録媒体１０が記録ユニット４に衝突せずに回収される。【選択図】図１１
2007144727.tif 000002
【特許請求の範囲】
【請求項１】
巻回された長尺状の記録媒体を供給もしくは回収する供給ローラと、
前記供給ローラよりも前記記録媒体の搬送方向下流側に配設されているローラ状のプラテンと、
前記プラテンの外周面に対向して配設されている記録ユニットと、
前記プラテンよりも前記搬送方向の下流側に配設されており前記記録媒体を切断する切断手段と、
前記切断手段により切断されて残った未記録の前記記録媒体を前記供給ローラおよび前記プラテンの逆回転によって回収する際に前記記録媒体の切断位置から後退した前記記録媒体の先端位置を前記供給ローラの回転数に基づいて算出する算出手段と、
前記プラテンと前記記録ユニットとの離隔距離よりも小さい直径を有して形成されており前記プラテンの外周面に対向して配設されている圧接ローラと、前記記録媒体を介して前記プラテンの外周面に前記圧接ローラを付勢させる付勢手段と、前記供給ローラおよび前記プラテンの逆回転により後退している前記記録媒体の先端が前記プラテンの外周面と前記圧接ローラとの間に到達したことを前記算出手段により算出したときに前記圧接ローラを前記プラテンの逆回転と共に前記プラテンの外周面に沿って移動させる移動手段とを有する圧接ユニットと
を備えていることを特徴とするプリンタ。
【請求項２】
記録媒体を供給もしくは回収する供給ローラと、
前記供給ローラよりも前記記録媒体の搬送方向の下流側に配設されているローラ状のプラテンと、
前記プラテンの外周面に対向して配設されている記録ユニットと、
前記プラテンよりも前記搬送方向の下流側に配設されており前記記録媒体の有無を検出する検出手段と、
前記記録ユニットの記録が終了することにより残った未記録の前記記録媒体を前記供給ローラおよび前記プラテンの逆回転によって回収する際に前記検出手段による前記記録媒体の検出位置から後退した前記記録媒体の先端位置を前記供給ローラの回転数に基づいて算出する算出手段と、
前記プラテンと前記記録ユニットとの離隔距離よりも小さい直径を有して形成されており前記プラテンの外周面に対向して配設されている圧接ローラと、前記記録媒体を介して前記プラテンの外周面に前記圧接ローラを付勢させる付勢手段と、前記供給ローラの逆回転により後退している前記記録媒体の先端が前記プラテンの外周面と前記圧接ローラとの間に到達したことを前記算出手段により算出したときに前記圧接ローラを前記プラテンの逆回転と共に前記プラテンの外周面に沿って下流側から上流側に移動させる移動手段とを有する圧接ユニットと
を備えていることを特徴とするプリンタ。
【請求項３】
前記記録ユニットは、前記プラテンの外周面の周方向に沿って複数個並列されており、
前記圧接ローラは、前記記録媒体を前記プラテンの外周面に圧接させた状態において各々の前記記録ユニットよりも下流側に１個ずつ並列されており、
前記移動手段は、各々の前記圧接ローラのうちの最下流側の前記圧接ローラから最上流側の前記圧接ローラの順に前記記録媒体の先端を中継しながら各々の前記圧接ローラを順次移動させる
ことを特徴とする請求項１または請求項２に記載のプリンタ。
【発明の詳細な説明】
【技術分野】
【０００１】
本発明は、プリンタに係り、特に、ロール紙などの記録媒体をプラテンに密着させながら当該記録媒体にインクを熱転写するラインサーマルプリンタなどに好適に利用することができるプリンタに関する。
【背景技術】
【０００２】
本発明は、プリンタに係り、特に、長尺状のロール紙やＡ４サイズ等の所定大の記録用紙などの記録媒体をローラ状のプラテンに圧接させながら当該記録媒体にインクを記録するラインサーマルプリンタやインクジェットプリンタなどに好適に利用することができるプリンタに関する。
【０００３】
一般的に、ラインサーマルプリンタやインクジェットプリンタなどのプリンタは、ロール紙や記録用紙などの記録媒体の表面上にインクを塗布もしくは熱転写等することにより、コンピュータ等の出力装置として使用されている。
【０００４】
従来のプリンタ１０１は、その一例として、図１２に示すように、外周に巻かれた記録媒体１１０に張力を与えながら記録媒体１１０の搬送方向ＦＤと同方向に回転するローラ状のプラテン１０３と、サーマルヘッドやインクノズルなどの記録ヘッド１０４ａを有する記録ユニット１０４と、プラテン１０３よりも搬送方向ＦＤの上流側において記録媒体１１０を供給する供給ローラ１０２と、プラテン１０３よりも搬送方向ＦＤの下流側において記録媒体１１０を排出する排出ローラ１１１とを備えている。
【０００５】
ここで、記録ユニット１０４は、イエロー、マゼンダ、シアン、ブラック（もしくはオーバーコート）の各色の記録に対応するため、プラテン１０３の周方向に沿って４つ並列されている。また、これら各記録ユニット１０４の記録ヘッド１０４ａとプラテン１０３との間に記録媒体１１０が介在しており、供給ローラ１０２および排出ローラ１１１が回動することによって、記録媒体１１０がプラテン１０３の外周面に巻き付けられながら所定の搬送方向ＦＤに搬送され、各記録ユニット１０４によって記録媒体１１０の表面上に所望の画像や文字等が記録されていた。
【０００６】
【特許文献１】特開２００３−２５１８４０号公報
【発明の開示】
【発明が解決しようとする課題】
【０００７】
しかしながら、図１３に示すように、ロール紙などの記録媒体１１０に所望の画像や文字等の記録を終了した後、未だ記録されずに搬送された記録媒体１１０を再利用するために未記録の記録媒体１１０を後退させると、排出ローラ１１１によって押さえられていた力が記録媒体１１０の先端から解放されてしまうので、記録媒体１１０の後退の際に記録媒体１１０の先端が暴れて各記録ユニット１０４に衝突してしまうという問題があった。
【０００８】
記録媒体１１０の先端が記録ユニット１０４に衝突すると、記録ユニット１０４の記録ヘッド１０４ａやインクリボンなどの記録ユニット１０４の各部材を破損させるおそれがあるので、プリンタ１０１の記録動作に悪影響を及ぼしかねない。また、記録ユニット１０４の配設個数が増加すると、プラテンの直径が大きくなり、供給ローラ１０２から排出ローラ１１１までの搬送経路が長くなることから、排出ローラ１１１から後退する記録媒体１１０の先端が暴れやすくなる。これによって、より一層大きな悪影響を及ぼすことも考えられる。
【０００９】
そこで、本発明は、これらの点に鑑みてなされたものであり、プリンタの各配設部材に悪影響を及ぼさずに記録媒体を回収することができるプリンタを提供することを目的としている。
【００１０】
また、本発明は、供給ローラから排出ローラまでの搬送経路が長くなっても、記録媒体の先端が暴れることなく後退させて回収することができるプリンタを提供することを他の目的としている。
【課題を解決するための手段】
【００１１】
前述した目的を達成するため、本発明のプリンタは、その第１の態様として、巻回された長尺状の記録媒体を供給もしくは回収する供給ローラと、供給ローラよりも記録媒体の搬送方向下流側に配設されているローラ状のプラテンと、プラテンの外周面に対向して配設されている記録ユニットと、プラテンよりも搬送方向の下流側に配設されており記録媒体を切断する切断手段と、切断手段により切断されて残った未記録の記録媒体を供給ローラおよびプラテンの逆回転によって回収する際に記録媒体の切断位置から後退した記録媒体の先端位置を供給ローラの回転数に基づいて算出する算出手段と、プラテンと記録ユニットとの離隔距離よりも小さい直径を有して形成されておりプラテンの外周面に対向して配設されている圧接ローラと、記録媒体を介してプラテンの外周面に圧接ローラを付勢させる付勢手段と、供給ローラおよびプラテンの逆回転により後退している記録媒体の先端がプラテンの外周面と圧接ローラとの間に到達したことを算出手段により算出したときに圧接ローラをプラテンの逆回転と共にプラテンの外周面に沿って移動させる移動手段とを有する圧接ユニットとを備えていることを特徴としている。
【００１２】
本発明の第１の態様によって、圧接ローラがロール紙などのロール状記録媒体の先端を逆回転するプラテンの外周面に圧接させながらプラテンと共に記録媒体を後退させて回収するので、記録媒体の先端を記録ユニットに衝突させることなく回収することができる。
【００１３】
本発明の第２の態様は、記録媒体を供給もしくは回収する供給ローラと、供給ローラよりも記録媒体の搬送方向の下流側に配設されているローラ状のプラテンと、プラテンの外周面に対向して配設されている記録ユニットと、プラテンよりも搬送方向の下流側に配設されており記録媒体の有無を検出する検出手段と、記録ユニットの記録が終了することにより残った未記録の記録媒体を供給ローラおよびプラテンの逆回転によって回収する際に検出手段による記録媒体の検出位置から後退した記録媒体の先端位置を供給ローラの回転数に基づいて算出する算出手段と、プラテンと記録ユニットとの離隔距離よりも小さい直径を有して形成されておりプラテンの外周面に対向して配設されている圧接ローラと、記録媒体を介してプラテンの外周面に圧接ローラを付勢させる付勢手段と、供給ローラの逆回転により後退している記録媒体の先端がプラテンの外周面と圧接ローラとの間に到達したことを算出手段により算出したときに圧接ローラをプラテンの逆回転と共にプラテンの外周面に沿って下流側から上流側に移動させる移動手段とを有する圧接ユニットとを備えていることを特徴としている。
【００１４】
本発明の第２の態様によって、圧接ローラがＡ４記録用紙などの規格大の矩形状記録媒体の先端を逆回転するプラテンの外周面に圧接させながらプラテンと共に記録媒体を後退させて回収するので、記録媒体の先端を記録ユニットに衝突させることなく回収することができる。
【００１５】
本発明の第３の態様は、第１または第２の態様のプリンタにおいて、記録ユニットがプラテンの外周面の周方向に沿って複数個並列されており、圧接ローラが記録媒体をプラテンの外周面に圧接させた状態において各々の記録ユニットよりも下流側に１個ずつ並列されており、移動手段が各々の圧接ローラのうちの最下流側の圧接ローラから最上流側の圧接ローラの順に記録媒体の先端を中継しながら各々の圧接ローラを順次移動させることを特徴としている。
【００１６】
本発明の第３の態様によって、記録媒体の前進の際には複数個の記録ユニットがプラテンに記録媒体を圧接させると共に、記録媒体の後退の際には複数個の圧接ローラが記録媒体の先端を圧接しながら中継するので、単一の圧接ローラよりもプラテンに記録媒体を密着させることができるとともに、供給ローラから排出ローラまでの搬送経路が長くなっても記録媒体の先端を暴れさせることなく回収することができる。
【発明の効果】
【００１７】
本発明のプリンタによって、記録媒体の後退の際に記録媒体の先端が各記録ユニットに衝突することがなくなるので、記録媒体との衝突によって記録ユニットの各部材が破損することを防止するという効果を奏する。
【発明を実施するための最良の形態】
【００１８】
以下、図１から図６を用いて、本発明のプリンタの一実施形態を説明する。ここで、図１は、本発明のプリンタの一実施形態を示した正面図である。図２は、本実施形態のプリンタを部分的に示した斜視図である。図３は、本実施形態のリングギアを示した斜視図である。図４（ａ）および（ｂ）は、本実施形態のローラユニットを示した斜視図である。そして、図５および図６は、本実施形態のプラテン、第１ローラユニット、第２ローラユニット、固定カムディスク、リングギアのアクチュエータおよび第１強圧接ユニットを概念的に示した正面図である。図５は、記録媒体の先端がプラテンと第１圧接ローラとの間に形成された所定の間隙に介在した状態を示しており、図６は、第１圧接ローラが第１強圧接ユニットとプラテンとの間に介在した状態を示している。なお、図２はプラテンを挟んで鏡面対称になっていることからプラテンの軸方向の一方のみを示している。
【００１９】
図１に示すように、本実施形態のプリンタ１は、その筐体（図示せず）内に、巻回された長尺状の記録媒体１０を供給もしくは回収する供給ローラ２と、供給ローラ２よりも記録媒体１０の搬送方向ＦＤの下流側に配設されているローラ状のプラテン３と、プラテン３の外周面に対向して配設されている記録ユニット４（４は本実施形態におけるプラテン３の周方向の四箇所に配設されている４個の記録ユニット４Ａ、４Ｂ、４Ｃ、４Ｄの総括番号）と、プラテン３よりも搬送方向ＦＤの下流側に配設されており記録媒体１０を切断する切断手段１３と、切断手段１３により切断されて残った未記録の記録媒体１０を供給ローラ２およびプラテン３の逆回転によって回収する際に記録媒体１０の切断位置から後退した記録媒体１０の先端位置を供給ローラ２の回転数に基づいて算出する算出手段（図示せず）と、記録媒体１０の先端を圧接しながらプラテン３と共に移動する圧接ローラ５（５は本実施形態におけるプラテン３の周方向の四箇所に配設されている４個の圧接ローラ５Ａ、５Ｂ、５Ｃ、５Ｄの総括番号）を有する圧接ユニット８とを備えている。
【００２０】
ここで、圧接ユニット８は、プラテン３と記録ユニット４との離隔距離よりも小さい直径を有して形成されておりプラテン３の外周面に対向して配設されている前述の圧接ローラ５と、記録媒体１０を介してプラテン３の外周面に圧接ローラ５を付勢させる付勢手段６と、供給ローラ２の逆回転により後退している記録媒体１０の先端がプラテン３の外周面と圧接ローラ５との間に到達したことを算出手段により算出したときに圧接ローラ５をプラテン３の逆回転と共にプラテン３の外周面に沿って移動させる移動手段７とを有している。
【００２１】
具体的には、供給ローラ２は、金属など剛性の高い円筒棒の側面にＥＰＤＭ(エチレン・プロピレン・ジエン・モノマー）などの合成ゴムを取り付けてローラ状に形成されており、ステッピングモータ（図示せず）などから回動力を得て記録媒体１０の所定の搬送方向ＦＤと同方向に回動するように形成されている。
【００２２】
プラテン３は、金属など剛性の高い円筒棒の側面にＥＰＤＭなどの合成ゴムを取り付けてローラ状に形成されており、ステッピングモータ（図示せず）などから回動力を得ることにより、供給ローラ２から独立して記録媒体１０の搬送方向ＦＤと同方向（図１においては反時計回りの方向）に回転する機構を有している。プラテン３の直径は、記録ユニット４の配設個数やプリンタ１のサイズなどを考慮して決定されている。
【００２３】
記録ユニット４は、プラテン３の外周面に対向した記録ヘッド４１（４１は、４１Ａ、４１Ｂ、４１Ｃ、４１Ｄの総括番号）を有して形成されており、ＹＭＣＫ（イエロー・マゼンダ・シアン・ブラック）などの各色を記録媒体１０に記録するためにプラテン３の外周面に沿って記録色の数に応じて配設されている。記録ユニット４としては、インクカードリッジ式やサーマルヘッド式の記録ユニットなどプリンタ１に一般的に用いられるものを利用することができるが、本実施形態においては、印画品質の向上のため、ＹＭＣＫの４色のインクリボン４２Ａ、４２Ｂ、４２Ｃ、４２Ｄのいずれかと、インクリボンを用いて各色のインクを熱転写するサーマルヘッド（記録ヘッド）４１Ａ、４１Ｂ、４１Ｃ、４１Ｄとを有するサーマルヘッド式記録ユニット４が用いられている。なお、本実施形態の４つの記録ユニット４においては、記録媒体１０の搬送方向ＦＤの上流側から下流側へ配設された順に、第１記録ユニット４Ａ、第２記録ユニット４Ｂ、第３記録ユニット４Ｃ、第４記録ユニット４Ｄと称する。
【００２４】
切断手段１３は、図１に示すように、長尺状の記録媒体１０を挟んで対向するように配設された１組の刃物１３ａ、１３ｂを有しており、記録ユニット４による記録の終了の際に、その１組の刃物１３ａ、１３ｂをそれぞれ記録媒体１０に押し付けることにより、記録媒体１０をせん断する位置に配設されている。
【００２５】
算出手段は、プラテン３や供給ローラ２を回動させるステッピングモータから回転数に係る情報を受け取り、所定のプログラムに基づいて圧接ユニット８の移動手段７や後述する強圧接プレート用カム９４などにその制御信号を出力する回路となっており、具体的にはメモリなどの記憶装置やＣＰＵ（中央処理装置）などの処理装置などを用いて形成された制御回路となっている。
【００２６】
圧接ユニット８は、前述したように圧接ローラ５、付勢手段６および移動手段７とを有しており、具体的には、図１および図２に示すように、プラテン３の軸方向の両側方に配設されている２つのリングギア（一方は図示せず）２０と、両リングギア２０に対して軸方向の内側（プラテン３が挟まれた側）および外側にそれぞれ配設されている２組の固定カムディスク（各組の一方は図示せず）３０（３０は、３０Ａ、３０Ｂの総括番号）と、各組の固定カムディスク３０に対してそれぞれ２つずつ取り付けられている４つのローラユニット５０（５０は、５０Ａ、５０Ｂ、５０Ｃ、５０Ｄの総括番号）とを有している。なお、本実施形態の圧接ユニット８においては、圧接ローラ５と弾性部材５６とを有するローラユニット５０および圧接ローラ５の圧接力を変動させる固定カムディスク３０が付勢手段６として用いられており、ローラユニット５０を押し出すリングギア２０およびローラユニット５０を摺動させながら周方向に案内する固定カムディスク３０が移動手段７として用いられている。以下、圧接ユニット８の各部材２０、３０、５０の実施形態を詳細に説明する。
【００２７】
リングギア２０は、図１から図３に示すように、プラテン３の外周面の直径よりも小さな歯先円直径を有する平歯車となっており、図３に示すように、その歯底円内の一部に圧接ローラ５または圧接ローラ５を支持する部材をプラテン３の周方向に回動させるためのアクチュエータ２１と、当該アクチュエータ２１よりも径方向外側に形成されたロック解除用突起部２４とを有している。
【００２８】
アクチュエータ２１は、図３（ａ）に示すように、矩形平板状に形成されたスライド部２２と、当該スライド部２２におけるリングギア２０の径方向外側の端部からスライド部２２の垂線の両方向（裏表の方向）に突出する当接部２３とを有している。また、このアクチュエータ２１は、当該スライド部２２がリングギア２０の底面内において時計回りに２０〜５０度ほど傾いた方向（以下、「スライド方向」という。）に貫通して形成された係合爪付スライド溝２５に係合するように配設されており、当該スライド部２２の他端において当接部２３をスライド方向の外側（リングギア２０の半径外側方向）に付勢するコイルばねなどの弾性部材２６を有している。
【００２９】
ここで、当接部２３は、図３（ａ）および（ｂ）に示すように、搬送方向ＦＤの上流側の端面にリングギア２０の半径方向と略平行に形成された周方向押出面２３ａと、その周方向押出面２３ａよりもリングギア２０の半径方向内側には当該内側の角が４５度程度に面取りされて形成された径方向押出面２３ｂと、搬送方向ＦＤの下流側（周方向押出面２３ａの逆方向）の端面にリングギア２０の半径方向と略平行に形成された周方向逆押出面２３ｃと、その周方向逆押出面２３ｃよりもリングギア２０の径方向外側において当該外側の角が４５度程度に面取りされた径方向逆押出面２３ｄとを有しており、図３（ａ）に示すように、当該当接部２３が弾性部材２６によってスライド方向の最も外側に付勢された際に、リングギア２０の両面に配設された固定カムディスク３０に取り付けられた４つのローラユニット５０の可動ガイドポスト５２（後述を参照）の側方に当該当接部２３の周方向押出面２３ａもしくは周方向逆押出面２３ｃが当接し、当該可動ガイドポスト５２をリングギア２０の回転方向もしくは逆回転方向に押し出す位置に配設されている。
【００３０】
また、ロック解除用突起部２４は、図３に示すように、当接部２３からリングギア２０の平歯車の間の位置から周方向に伸びるように湾曲して形成されているとともに、リングギア２０の同位置におけるその両面に突出して形成されている。
【００３１】
すなわち、アクチュエータ２１およびロック解除用突起部２４は、リングギア２０の両面において図３に示すような形状に形成されている。
【００３２】
ローラユニット５０は、図２に示すように、プラテン３の中心軸と平行に配設された圧接ローラ５と、この圧接ローラ５の軸方向の両側方に配設された２つのベースプレート（一方のみ図示）５１とを有している。
【００３３】
圧接ローラ５は、金属など剛性の高い円筒棒の側面にＥＰＤＭなどの合成ゴムを取り付けて形成されており、各記録ユニット４の下流側に１つずつ合計４つ配設されている。本実施形態の圧接ローラ５においては、記録媒体１０の搬送方向ＦＤの上流側から下流側へ配設された順に、第１圧接ローラ５Ａ、第２圧接ローラ５Ｂ、第３圧接ローラ５Ｃ、第４圧接ローラ５Ｄと称する。
【００３４】
２つのベースプレート５１は、図４（ａ）および（ｂ）に示すように略横Ｔ字状に形成されており、図示しないが圧接ローラ５を挟んで鏡面対称に形成されている。そして、これらのベースプレート５１は、その３つの端部のうちの対向する端部の一方において、圧接ローラ５を回動自在に支持している。
【００３５】
また、ローラユニット５０は、図４（ａ）および（ｂ）に示すように、ベースプレート５１のどちらか一方の面（この面は図４に示すような圧接ローラ５が配設されていない面とは限らない。図２を参照。）であって圧接ローラ５が配設された端部と対向する端部に配設された可動ガイドポスト５２と、可動ガイドポスト５２が配設された面（以下、可動ガイドポスト５２が配設された面を「ベースプレートの前面」という。）であって圧接ローラ５および可動ガイドポスト５２が配設されていない残りの端部に固定された固定ガイドポスト５３と、ベースプレート５１の前面５１ｃであって圧接ローラ５と可動ガイドポスト５２との間に固定された円柱状のリフトアップピン５４と、可動ガイドポスト５２が配設されていない面（以下、可動ガイドポスト５２が配設されていない面を「ベースプレートの背面」という。）においてその基部を固定ガイドポスト５３に軸支されているとともに可動ガイドポスト５２を固定させることにより両部材５２、５３を連結する連結プレート５５と、ベースプレート５１の背面５１ｄにおいて可動ガイドポスト５２がリフトアップピン５４に近接する方向に連結プレート５５を付勢する弾性部材５６と、ストッパ部５７ａとストッパ解除部５７ｂとを有して連結プレート５５に連結するストッパプレート５７とを備えている。
【００３６】
ここで、可動ガイドポスト５２は、図４（ａ）および（ｂ）に示すように、鍔を有するピン状に形成されており、ベースプレート５１において圧接ローラ５の遠近方向に貫通して形成されたスライド長孔５１ａを貫通するように配設されている。つまり、可動ガイドポスト５２は、連結プレート５５によって固定ガイドポスト５３を回動支点とするスライド移動（正確には円弧移動）自在に配設されている。また、この可動ガイドポスト５２は、連結プレート５５および弾性部材５６によって、圧接ローラ５およびリフトアップピン５４に近接する方向に付勢されている。
【００３７】
固定ガイドポスト５３は、鍔を有するピン状に形成されており、連結プレート５５およびストッパプレート５７を軸支するようにしてベースプレート５１の背面５１ｄから所定の位置に固定されている。
【００３８】
連結プレート５５は金属薄板を用いて略横Ｌ字状に形成されており、その一端において固定ガイドポスト５３を回動支点とする回動が自在となるように配設されている。また、この連結プレート５５の他端には、可動ガイドポスト５２が固定されており、その略横Ｌ字状の屈曲部外側には弾性部材５６の一端が固定されている。
【００３９】
弾性部材５６としては、コイルばねなどが用いられている。この弾性部材５６の一端は前述のように連結プレート５５の一部に固定されており、その他端はベースプレート５１の背面５１ｄであって圧接ローラ５に近接した部分に固定されている。
【００４０】
ストッパプレート５７は、長脚５７ｃおよび短脚５７ｄを１つずつ有する二股薄板状に形成されており、ベースプレート５１の背面５１ｄにおいて連結プレート５５の背面側に長脚５７ｃおよび短脚５７ｄが一連となる基部が固定ガイドポスト５３を回動支点として回動自在になるよう取り付けられている。ここで、この長脚５７ｃは、その先端からベースプレート５１の前面５１ｃに向かって折り曲げられたストッパ解除部５７ｂと、このストッパ解除部５７ｂの隣りからベースプレート５１の前面５１ｃに向かってストッパ解除部５７ｂよりも小さく折り曲げられたストッパ部５７ａとを有している。また、短脚５７ｄは、その先端がベースプレート５１の前面５１ｃに向かって折り曲げられて連結プレート５５の取付孔５５ａおよびベースプレート５１の取付溝５１ｂに貫入されている。ここで、連結プレート５５の取付孔５５ａは矩形状に形成されており、ベースプレート５１の取付溝５１ｂは、短脚５７ｄが可動ガイドポスト５２のスライド移動を妨げないような方向に適合させて形成されている。
【００４１】
なお、ローラユニット５０は、リングギア２０と固定カムディスク３０との配設位置関係に応じて、図４（ａ）および（ｂ）に示すような圧接ローラ５が各ベースプレート５１の背面５１ｄに取り付けられたものが２つ、図示はしないが圧接ローラ５が各ベースプレート５１の前面５１ｃに取り付けられたものが２つ用意されており（図２を参照）、そのそれぞれに対して図示はしないがローラユニット５０の各部材が圧接ローラ５を挟んで鏡面対称に配設されている。
【００４２】
また、４つのローラユニット５０は、図２に示すように、記録媒体１０の搬送方向ＦＤの上流側から下流側へ向けて、圧接ローラ５がベースプレート５１の背面５１ｄに取り付けられたものから交互に各組の固定カムディスク３０Ａ、３０Ｂに配設されている。ここで、これら４つのローラユニット５０を、記録媒体１０の搬送方向ＦＤの上流側から下流側へ配設された順に、第１ローラユニット５０Ａ、第２ローラユニット５０Ｂ、第３ローラユニット５０Ｃ、第４ローラユニット５０Ｄと称すると、図２に示すように、第１ローラユニット５０Ａおよび第３ローラユニット５０Ｃ（圧接ローラ５が各ベースプレート５１の背面５１ｄに取り付けられたローラユニット５０）が両リングギア２０に対して軸方向内側（プラテン３が存在する方向）にある一組の固定カムディスク３０Ａに取り付けられ、第２ローラユニット５０Ｂおよび第４ローラユニット５０Ｄ（圧接ローラ５が各ベースプレート５１の前面５１ｃに取り付けられたローラユニット５０）が両リングギア２０に対して軸方向外側にある他組の固定カムディスク３０Ｂに取り付けられる。
【００４３】
ローラユニット５０が取り付けられる固定カムディスク３０は、図５や図６に示すように、圧接ローラ５の中心軸とリフトアップピン５４の中心軸との距離をプラテン３の半径から引いて得た長さよりも小さい半径を有してディスク状に形成されており、その中心軸がプラテン３の中心軸と同軸になりつつ、プラテン３やローラユニット５０と共に回動しないように固定されている。また、固定カムディスク３０は、可動ガイドポスト５２および固定ガイドポスト５３をそれぞれ挿通する可動ガイドポスト用ガイド溝３１および固定ガイドポスト用ガイド溝３２と、リフトアップピン５４を半径方向外側に押し出すリフトカム３３と、固定カムディスク３０の外周に形成されたストッパ解除用溝３４と、ストッパ解除用溝３４に近接して形成されたストッパ穴３５とを有している。
【００４４】
可動ガイドポスト用ガイド溝３１は、リフトアップピン５４と可動ガイドポスト５２との最近接距離よりも大きくその最離隔距離よりも小さな値を固定カムディスク３０の半径から引いて得た値を半径とし、その中心を固定カムディスク３０と共通する円弧状の貫通溝になっている。また、可動ガイドポスト用ガイド溝３１は、搬送方向の端部（弧の左端）に固定カムディスク３０の径方向内側に向かう屈曲部３１ａを有しており、その反対の端部（弧の右端）に固定カムディスク３０の径方向外側に向かう逆屈曲部３１ｂを有している。
【００４５】
また、固定ガイドポスト用ガイド溝３２は、弧状の可動ガイドポスト用ガイド溝３１の中心と共通する弧状に形成されているとともに、可動ガイドポスト５２が可動ガイドポスト用ガイド溝３１に挿通されつつリフトアップピン５４が固定カムディスク３０の外周に当接した際に挿通する位置に形成されている。
【００４６】
リフトカム３３は、ローラユニット５０の可動ガイドポスト５２および固定ガイドポスト５３がそれぞれの可動ガイドポスト用ガイド溝３１および固定ガイドポスト用ガイド溝３２の最上流側（それぞれの最右方）に取り付けられた際にリフトアップピン５４を半径方向外側に押し出すような凸形状および位置に形成されている。また、このリフトカム３３は、固定カムディスク３０の中心からリフトカム３３の頂上までの長さに圧接ローラ５の中心軸とリフトアップピン５４の中心軸との距離を足して得た値がプラテン３の半径よりも大きな値となるようなリフト量を有している。
【００４７】
ストッパ解除用溝３４は、ローラユニット５０の可動ガイドポスト５２および固定ガイドポスト５３が可動ガイドポスト用ガイド溝３１および固定ガイドポスト用ガイド溝３２の最下流付近（最左方の周辺）に配置された際に、図６に示すように固定カムディスク３０の外周付近に位置するストッパ解除部５７ｂが半径方向内側に落とし込まれるように、固定カムディスク３０の半径方向内側に削り取られた形状および位置に形成されている。
【００４８】
ストッパ穴３５は、ストッパプレート５７のストッパ部５７ａを内包する大きさを有して矩形状に形成されており、ストッパ解除用溝３４によってリフトアップピン５４が半径方向内側に移動した際にストッパプレート５７のストッパ部５７ａが係合するような位置に形成されている。
【００４９】
なお、図２に示すように、可動ガイドポスト用ガイド溝３１、固定ガイドポスト用ガイド溝３２、リフトカム３３、ストッパ解除用溝３４およびストッパ穴３５の形成位置は、各組の固定カムディスク３０Ａ、３０Ｂによって異なっている。具体的に言うと、一方の組の固定カムディスク３０Ａは、第１ローラユニット５０Ａおよび第３ローラユニット５０Ｃが取り付けられる位置に対応して、それら可動ガイドポスト用ガイド溝３１、固定ガイドポスト用ガイド溝３２、リフトカム３３、ストッパ解除用溝３４およびストッパ穴３５が形成されており、他方の組の固定カムディスク３０Ｂは、第２ローラユニット５０Ｂおよび第４ローラユニット５０Ｄが取り付けられる位置に対応して、それら可動ガイドポスト用ガイド溝３１、固定ガイドポスト用ガイド溝３２、リフトカム３３、ストッパ解除用溝３４およびストッパ穴３５が形成されている。
【００５０】
また、本実施形態の圧接ユニット８は、図１に示すように、各記録ユニット４の下流側においてプラテン３の外周面に対向して配設されている４つの強圧接ユニット９（９Ａ、９Ｂ、９Ｃ、９Ｄの総括番号）を有していることが好ましい。この強圧接ユニット９は、図５に示すように、プラテン３の軸方向の長さよりも長く、かつ圧接ローラ５の軸方向の長さよりも短い幅を有する金属平板を用いてプラテン３の径方向切断面においてひしゃく状になるよう形成されている強圧接プレート９１と、当該強圧接プレート９１の端部９１ｅにおいてローラユニット５０の弾性部材５６よりも強い弾性力を生じる強弾性部材９３と、強圧接プレート９１の回動中心となる回動軸９６と、その回動を調整するリフトカムとを有しており、図６に示すように、強圧接プレート９１の先端９１ｃの周辺とプラテン３との間に介在した圧接ローラ５もしくはそのベースプレート５１をローラユニット５０の弾性部材５６よりも強い圧接力を持って圧接するように配設されている。ここで、強圧接ユニットによる強圧接力が圧接ローラ５に付与されても、圧接ローラ５が自由回転することによって、プラテン３の回動を阻害せずに記録媒体１０を搬送することができるようになっている。
【００５１】
なお、本実施形態のプリンタ１は、第１圧接ローラ５Ａの上流側において記録媒体１０の有無を検出する検出センサ（図示せず）と、その検出センサの検出結果および供給ローラ２の回転数によって得られた記録媒体１０の搬送状況に基づいて圧接ローラ５とプラテン３との間に形成された所定の空隙Ｓに記録媒体１０の先端が介在したことを算出する第２算出手段（図示せず）と、第２算出手段の算出結果に基づいて圧接ユニット８の移動手段７を制御する圧接ユニット制御手段（図示せず）とを備えていることが好ましい。
【００５２】
ここで、検出センサとしては、記録媒体１０の色彩や材質その他記録媒体１０の特徴に反応するセンサを用いることが好ましく、第２算出手段としては、検出センサの検出結果と供給ローラ２のステッピングモータのステップ数などに基づいて演算処理を行なうＣＰＵやその他の処理装置を用いて形成された回路を用いることが好ましい。
【００５３】
また、圧接ユニット制御手段としては、移動手段７に制御信号を出力する回路となっており、具体的にはメモリなどの記憶装置やＣＰＵなどの処理装置などを用いて形成された回路となっている。
【００５４】
なお、第２算出手段、圧接ユニット制御手段および強圧接ユニットの制御に用いる制御手段は、前述した算出手段と共用するように形成されていることが好ましいので、本実施形態においてはその全てが算出手段として形成されている。
【００５５】
次に、図１から図１１を用いて、本実施形態のプリンタの作用を説明する。ここで、図７から図１０は、本実施形態のプラテン、第１ローラユニット、第２ローラユニット、固定カムディスク、リングギアのアクチュエータおよび第１強圧接ユニットを概念的に示した正面図である。図７はアクチュエータの当接部が第２ローラユニットの可動ガイドポストを上流側に移動させた状態を示しており、図８は第１ローラユニットを上流側に移動させるためにアクチュエータの弾性部材が収縮した状態を示している。また、図９はアクチュエータの弾性部材の伸張により第１ローラユニットと第２ローラユニットとの各可動ガイドポスト間にアクチュエータの当接部が移動した状態を示しており、図１０はアクチュエータの当接部が第１ローラユニットの可動ガイドポストを上流側に移動させた状態を示している。そして、図１１は、本実施形態のプリンタの作動状況の概略を（ａ）から（ｄ）の順に経時的に示している。
【００５６】
図５および図６に示すように、本実施形態のプリンタ１において、プラテン３の外周面に対向する圧接ユニット８の圧接ローラ５が記録媒体１０をプラテン３の外周面に圧接させながら、搬送方向ＦＤと同方向に回転するプラテン３と共に移動するようになっている。
【００５７】
具体的には、図５に示すように、供給ローラ２の回動によって記録媒体１０の供給が開始されると、第１圧接ローラ５Ａとプラテン３との間にあらかじめ形成されている所定の空隙Ｓに記録媒体１０の先端が導入される。検出センサと算出手段とによって所定の空隙Ｓに記録媒体１０の先端が介在したことを算出すると、リングギア２０がプラテン３の周速度と同等の速度で回動し、図５に示すように、そのアクチュエータ２１の当接部２３が第１ローラユニット５０Ａの可動ガイドポスト５２Ａをプラテン３の回動方向に押し出す。ここで、第１ローラユニット５０Ａが取り付けられた固定カムディスク３０Ａは回動しないため、第１ローラユニット５０Ａの弾性部材５６（図４（ｂ）を参照）の引張力によりリフトアップピン５４が固定カムディスク３０Ａのリフトカム３３からその外周に下りて半径方向内側に移動し、それに伴って圧接ローラ５が記録媒体１０の先端をプラテン３の外周面に圧接する。また、アクチュエータ２１によって押し出された可動ガイドポスト５２Ａが固定カムディスク３０Ａの可動ガイドポスト用ガイド溝３１に沿ってプラテン３の回動と共に進む。
【００５８】
また、図６に示すように、アクチュエータ２１の当接部２３によって周方向に押し出された第１可動ガイドポスト５２Ａが可動ガイドポスト用ガイド溝３１の屈曲部３１ａに到達すると、屈曲部３１ａに沿って可動ガイドポスト５２が半径方向の内側に移動し、さらに当接部２３の径方向押出面２３ｂによって可動ガイドポスト５２が半径方向の内側に押し出される。これによって、第１可動ガイドポスト５２Ａが周方向押出面２３ａおよび径方向押出面２３ｂの順に当接部２３の外周を沿うようにして当該当接部２３から外れて、第１ローラユニット５０Ａの圧接ローラ５がプラテン３の回動と共に移動する力を失う。
【００５９】
ここで、可動ガイドポスト５２が半径方向の内側に押し出されると、可動ガイドポスト５２に取り付けられた連結プレート５５と連動するストッパプレート５７のストッパ部５７ａが半径方向の内側に移動し、ストッパ部５７ａが固定カムディスク３０のストッパ穴３５に係合する。これによって、可動ガイドポスト５２がアクチュエータ２１の当接部２３から外れて、第１ローラユニット５０Ａの弾性部材５６が可動ガイドポスト５２を半径方向外側へ引っ張っても、ストッパ部５７ａおよびストッパ穴３５が係合して可動ガイドポスト５２を可動ガイドポスト用ガイド溝３１の屈曲部３１ａに制止させるので、第１ローラユニット５０Ａが移動することなく位置決めされる。
【００６０】
そして、図６に示すように、本実施形態のプリンタ１においては、第１圧接ローラ５Ａが所定の位置に移動すると、強圧接ユニット９の強圧接プレート９１が第１圧接ローラ５Ａを強圧接し、アクチュエータ２１が第２ローラユニット５０Ｂの可動ガイドポスト５２Ｂを押し出す。これによって、第１圧接ローラ５Ａと同様、第２圧接ローラ５Ｂが記録媒体１０をプラテン３の外周面に圧接させながらプラテン３と共に移動する。
【００６１】
このように、圧接ローラ５が記録媒体１０をプラテン３に圧接させながらプラテン３の回動と共に下流側に移動すると、プラテン３よりも搬送方向ＦＤの下流側に配設される排出ローラ（図示せず）の配設位置まで記録媒体１０が搬送されることを待つことなく記録媒体１０がプラテン３に密着するので、第１記録ユニット４Ａがプラテン３に近接する方向にスライド移動して記録媒体１０に記録を開始することができる。
【００６２】
また、図７から図１０に示すように、本実施形態のプリンタ１において、プラテン３の外周面に対向する圧接ユニット８の圧接ローラ５が記録媒体１０をプラテン３の外周面に圧接させながら、搬送方向ＦＤと逆方向ＲＤに回転するプラテン３と共に移動するようになっている。
【００６３】
具体的には、供給ローラ２およびプラテン３が逆回転することによって供給ローラ２による記録媒体１０の回収が開始されると、それと同期して、リングギア２０がプラテン３の回転速度と同等の速度で逆回転する。それに伴い、図７（ａ）に示すように、アクチュエータ２１の当接部２３の周方向逆押出面２３ｃが第２ローラユニット５０Ｂの可動ガイドポスト５２Ｂを搬送方向ＦＤの逆方向ＲＤに押し出すと、第２圧接ローラ５Ｂが記録媒体１０の先端をプラテン３に圧接させながら逆方向ＲＤにプラテン３と共に移動する。
【００６４】
さらに、図７（ｂ）に示すように、アクチュエータ２１の当接部２３によって逆方向ＲＤに押し出された第２可動ガイドポスト５２Ｂが可動ガイドポスト用ガイド溝３１の逆屈曲部３１ｂに到達すると、逆屈曲部３１ｂに沿って第２可動ガイドポスト５２Ｂが径方向外側に移動し、当接部２３の径方向逆押出面２３ｄによって第２可動ガイドポスト５２Ｂがさらに径方向外側に押し出される。このとき、図８に示すように、アクチュエータ２１の当接部２３は弾性部材２６の収縮によって径方向内側にスライド移動するので、第２可動ガイドポスト５２Ｂが径方向内側に移動する当接部２３から周方向逆押出面２３ｃおよび径方向逆押出面２３ｄの順に当接部２３の外周を沿うようにして外れる。これによって、第２ローラユニット５０Ｂの圧接ローラ５がプラテン３の回動と共に移動する力を失う。
【００６５】
また、図８に示すように、当接部２３が径方向内側にスライド移動しているとき、図７（ｂ）に示す第１ローラユニット５０Ａのストッパ解除部５７ｂが、図８に示すようにロック解除用突起部２４によって軸方向内側（プラテン３の配設側。図２を参照）に押し出され、それに伴い図７（ｂ）に示す固定カムディスク３０Ａのストッパ穴３５からストッパ解除部５７ｂと一体成形されたストッパ部５７ａが外れる。すると、ストッパ部５７ａとストッパ穴３５との係合によって制止されていた第１ローラユニット５０Ａの可動ガイドポスト５２Ａがその弾性部材５６の弾性力により可動ガイドポスト用ガイド溝３１の屈曲部３１ａから径方向外側に移動する。
【００６６】
そして、図８に示すように可動ガイドポスト５２Ａが径方向外側に移動し終えた後に当接部２３が第２可動ガイドポスト５２Ｂから完全に外れるので、図９に示すように当接部２３が第２可動ガイドポスト５２Ｂと第１可動ガイドポスト５２Ａとの間に入り込み、図１０に示すように当接部２３の周方向逆押出面２３ｃが第１可動ガイドポスト５２Ａを逆方向ＲＤに押し出す。その際、第１強圧接ユニット９Ａの強圧接プレート９１が第１圧接ローラ５Ａに対する強圧接を解除することにより、第１圧接ローラ５０Ａが記録媒体１０をプラテン３の外周面に圧接させながらプラテン３と共に逆方向ＲＤに移動させることができる。
【００６７】
なお、圧接ローラ５がプラテン３に記録媒体１０を圧接させながらプラテン３と共に搬送方向ＦＤと同方向もしくは逆方向ＲＤに移動する動作は、図５から図１０に示すような第１ローラユニット５０Ａと第２ローラユニット５０Ｂとの関係だけでなく、第２ローラユニット５０Ｂと第３ローラユニット５０Ｃとの関係および第３ローラユニット５０Ｃと第４ローラユニット５０Ｄとの関係においても同様である。よって、図１に示すように、各圧接ローラ５Ａ、５Ｂ、５Ｃ、５Ｄによって、各記録ユニット４に順次好適な圧接力を記録媒体１０に付与することができる。
【００６８】
ここで、図１１に示すように、本実施形態のプリンタ１においては、切断手段１３と算出手段（図示せず）とを備えているので、供給ローラ２およびプラテン３を逆回転して記録媒体１０を回収する際、第４圧接ローラ５Ｄが記録媒体１０の先端を圧接させながらプラテン３の回転と共に逆方向ＲＤに移動することができる。これは、本実施形態のプリンタ１の設計時に記録媒体１０の搬送経路ＣＲを設定することができるので、切断手段１３によって記録媒体１０が切断されると、算出手段によってその記録媒体１０の切断位置から後退した記録媒体１０の先端位置を供給ローラ２の回転数に基づいて算出することができるからである。これによって、記録媒体１０の先端が第４圧接ローラ５Ｄとプラテン３との間に介在したことをプリンタ１の算出手段が認知し、図１１（ａ）から（ｄ）の順に示すように、第４圧接ローラ５Ｄから第１圧接ローラ５Ａの順に記録媒体１０の先端を圧接して中継しながらプラテン３と共に逆方向ＲＤに移動することができる。
【００６９】
すなわち、本実施形態のプリンタ１によって、記録媒体１０の後退の際に記録媒体１０の先端が各記録ユニット４に衝突することがなくなるので、記録媒体１０との衝突によって記録ユニット４の各部材が破損することを防止するという効果を奏する。
【００７０】
なお、本発明は、前述した実施形態などに限定されるものではなく、必要に応じて種々の変更が可能である。
【００７１】
例えば、ロール紙などの巻回させたロール状の記録媒体の代わりにＡ４記録用紙などの規格化された矩形状の記録媒体を用いる場合、他の実施形態のプリンタとしては、「プラテンよりも搬送方向の下流側に配設されており記録媒体を切断する切断手段１３」の代わりに「プラテンよりも搬送方向の下流側に配設されており記録媒体の有無を検出する検出手段」を、さらに「切断手段１３により切断されて残った未記録の記録媒体を供給ローラおよびプラテンの逆回転によって回収する際に記録媒体の切断位置から後退した記録媒体の先端位置を供給ローラの回転数に基づいて算出する算出手段」の代わりに「記録ユニットの記録が終了することにより残った未記録の記録媒体を供給ローラおよびプラテンの逆回転によって回収する際に検出手段による記録媒体の検出位置から後退した記録媒体の先端位置を供給ローラの回転数に基づいて算出する算出手段」を備えていることが好ましい。
【００７２】
当該他の実施形態により、ロール状の記録媒体とは異なり切断工程を必要としないＡ４記録用紙などの規格化された矩形状の記録媒体においても、本実施形態のプリンタと同様、当該記録媒体の先端をプラテンの外周面に圧接させながら記録媒体を後退させて回収することができる。
【図面の簡単な説明】
【００７３】
【図１】本発明のプリンタの一実施形態をプラテンの軸方向から示した正面図
【図２】本実施形態のプリンタを示す部分斜視図。なお、各部品はプラテンを挟んで鏡面対称になっていることからプラテンの軸方向における一方のみを示している。
【図３】本実施形態のリングギアを示す斜視図；（ａ）はリングギア全体を示し、（ｂ）はアクチュエータを示している。
【図４】本実施形態のローラユニットを示す斜視図；（ａ）は、ベースプレートの前面から示しており、（ｂ）は、ベースプレートの背面から示している。
【図５】本実施形態のプラテン、第１ローラユニット、固定カムディスク、リングギアのアクチュエータおよび第１強圧接ユニットを示した正面図であって、記録媒体の先端がプラテンと第１圧接ローラとの間に形成された所定の間隙に介在した状態を概念的に示す正面概念図
【図６】第１圧接ローラが第１強圧接ユニットとプラテンとの間に介在した状態を概念的に示す正面概念図
【図７】アクチュエータの当接部が第２ローラユニットの可動ガイドポストを上流側に移動させた状態を概念的に示す正面概念図；（ａ）は当接部の周方向逆押出面に可動ガイドポストが当接している状態を示し、（ｂ）は当接部の径方向逆押出面に可動ガイドポストが当接している状態を示している。
【図８】第１ローラユニットを上流側に移動させるためにアクチュエータの弾性部材が収縮した状態を概念的に示す正面概念図
【図９】アクチュエータの弾性部材の伸張により第１ローラユニットと第２ローラユニットとの各可動ガイドポスト間にアクチュエータの当接部が移動した状態を概念的に示す正面概念図
【図１０】アクチュエータの当接部が第１ローラユニットの可動ガイドポストを上流側に移動させた状態を概念的に示す正面概念図
【図１１】本実施形態のプリンタの作動状況の概略を（ａ）から（ｄ）の順に経時的に示す正面概略図；（ａ）は第４圧接ローラについて、（ｂ）は第３の圧接ローラについて、（ｃ）は第２圧接ローラについて、そして（ｄ）は第１圧接ローラについてそれぞれ示している。
【図１２】従来のプリンタの一例を概略的に示す正面概略図
【図１３】従来のプリンタにおいて記録媒体を回収する状況を示す正面概略図
【符号の説明】
【００７４】
１  プリンタ
２  供給ローラ
３  プラテン
４  記録ユニット
５  圧接ローラ
６  付勢手段
７  移動手段
８  圧接ユニット
９  強圧接ユニット
１０  記録媒体
１１  排出ローラ
１３  切断手段
２１  アクチュエータ
２３  当接部
３０  固定カムディスク
３１  可動ガイドポスト用ガイド溝
４１  記録ヘッド
５１  ベースプレート
５２  可動ガイドポスト
９１  強圧接プレート
ＦＤ  搬送方向
ＲＤ  逆方向
Ｓ    空隙
【図１】
2007144727.tif 000003
【図２】
2007144727.tif 000004
【図３】
2007144727.tif 000005
【図４】
2007144727.tif 000006
【図５】
2007144727.tif 000007
【図６】
2007144727.tif 000008
【図７】
2007144727.tif 000009
【図８】
2007144727.tif 000010
【図９】
2007144727.tif 000011
【図１０】
2007144727.tif 000012
【図１１】
2007144727.tif 000013
【図１２】
2007144727.tif 000014
【図１３】
2007144727.tif 000015